(57)【特許請求の範囲】
【請求項１】
外部導体と、中心導体と、第１のブッシングと、を備える検査用同軸コネクタであって、
前記外部導体は、
第１の方向に延びる筒状の第１のハウジングと、
前記第１のハウジングから前記第１の方向の一方側に向かって延びる筒状の第２のハウジングと、
を含んでおり、
前記中心導体は、
前記第１のハウジング内において前記第１の方向に延び、かつ、前記第１のブッシングにより前記第１のハウジングに固定される第１の中心導体部と、
前記第２のハウジング内において前記第１の方向に延びる第２の中心導体部と、
を含んでおり、
前記第２のハウジングの前記第１の方向の一方側の端部が前記第１の方向に直交する第２の方向に揺動できるように、前記第２のハウジングが前記第１のハウジングに支持されており、
前記第２の中心導体部は、前記第２の中心導体部の前記第１の方向の一方側の端部が前記第２の方向に揺動できるように、前記第２の中心導体部が前記第１の中心導体部に支持されている揺動部と、前記第２の中心導体部の前記第１の方向の一方側の端部を含み、かつ、前記揺動部に対して前記第１の方向に移動できる先端部と、を有しており、
前記揺動部は、前記第１の方向に延びる筒状のバレルであり、
前記先端部の前記第１の方向の他方側の端部は、前記バレルに挿入されており、
前記第２の中心導体部は、前記バレル内に設けられ、かつ、前記先端部を前記バレルに対して前記第１の方向の一方側に押す第２の弾性体を、更に有している、
検査用同軸コネクタ。
【請求項２】
前記第２の方向における前記第２のハウジングと前記第２の中心導体部との位置関係を固定する第２のブッシングを、更に備えている、
請求項１に記載の検査用同軸コネクタ。
【請求項３】
前記外部導体は、
前記第１のハウジングから前記第１の方向に延びる筒状をなすシリンダーを、
更に含んでおり、
前記シリンダーは、前記第１のハウジングに固定されており、
前記第２のハウジングは、前記シリンダー内において前記第１の方向に延びると共に、前記シリンダー内において揺動できる、
請求項１又は請求項２のいずれかに記載の検査用同軸コネクタ。
【請求項４】
前記外部導体は、
前記第１の方向に延びる筒状をなし、かつ、前記第２のハウジングの前記第１の方向の一方側の端部が挿入される外部プランジャを、
更に含んでおり、
前記検査用同軸コネクタは、
前記第２のハウジングに対して前記外部プランジャを前記第１の方向の一方側に押す第１の弾性体を、
更に備えており、
前記外部プランジャ及び前記シリンダーは、前記外部プランジャが前記シリンダーに接触した場合に、前記シリンダーが前記外部プランジャに対して前記シリンダーの径方向の内側に向かって力を及ぼすように、構成されている、
請求項３に記載の検査用同軸コネクタ。
【請求項５】
前記シリンダーは、前記第１の方向の他方側から見たときに、前記シリンダーの径方向の内側を向き、かつ、前記第１の方向の他方側を向く法線ベクトルを有する環状をなす第１の面を、有しており、
前記外部プランジャは、前記第１の方向の一方側から見たときに、環状をなし、かつ、前記第１の面に接触する第１の接触部を、有している、
請求項４に記載の検査用同軸コネクタ。
【請求項６】
前記第１の面は、前記シリンダーの下端に位置している、
請求項５に記載の検査用同軸コネクタ。
【請求項７】
前記外部プランジャは、前記第１の方向の一方側から見たときに、前記外部プランジャの径方向の外側を向き、かつ、前記第１の方向の一方側を向く法線ベクトルを有する環状をなす第２の面を、有しており、
前記シリンダーは、前記第１の方向の他方側から見たときに、環状をなし、かつ、前記第２の面に接触する第２の接触部を、有している、
請求項４ないし請求項６のいずれかに記載の検査用同軸コネクタ。
【請求項８】
前記第２の接触部は、前記シリンダーの下端に位置している、
請求項７に記載の検査用同軸コネクタ。
【請求項９】
前記外部プランジャの前記第１の方向の一方側の端部は、前記外部プランジャ及び前記中心導体が前記第１の方向の他方側に押されていない場合には、前記中心導体の前記第１の方向の一方側の端部よりも前記第１の方向の一方側に位置している、
請求項４ないし請求項８のいずれかに記載の検査用同軸コネクタ。
【請求項１０】
前記先端部は、前記第１の方向に延びるピンである、
請求項１ないし請求項９のいずれかに記載の検査用同軸コネクタ。
【請求項１１】
前記第１の中心導体部は、前記第１の方向の一方側の端部に第３の面を有し、
前記揺動部は、前記第１の方向の他方側の端部に、前記第３の面と接触する第４の面を有し、
前記第２のハウジングは、前記第１の方向の他方側の端部に、第５の面を有し、
前記第１のハウジングは、前記第５の面と接触する第６の面を有し、
前記第５の面及び前記第６の面の前記第１の方向における位置は、前記第３の面及び前記第４の面の前記第１の方向における位置と重なっている、
請求項１ないし請求項１０のいずれかに記載の検査用同軸コネクタ。
【請求項１２】
外部導体と、中心導体と、第１のブッシングと、を備える検査用同軸コネクタであって、
前記外部導体は、
第１の方向に延びる筒状の第１のハウジングと、
前記第１のハウジングから前記第１の方向の一方側に向かって延びる筒状の第２のハウジングと、
を含んでおり、
前記中心導体は、
前記第１のハウジング内において前記第１の方向に延び、かつ、前記第１のブッシングにより前記第１のハウジングに固定される第１の中心導体部と、
前記第２のハウジング内において前記第１の方向に延びる第２の中心導体部と、
を含んでおり、
前記第２のハウジングの前記第１の方向の一方側の端部が前記第１の方向に直交する第２の方向に揺動できるように、前記第２のハウジングが前記第１のハウジングに支持されており、
前記第２の中心導体部は、前記第２の中心導体部の前記第１の方向の一方側の端部が前記第２の方向に揺動できるように、前記第２の中心導体部が前記第１の中心導体部に支持されている揺動部と、前記第２の中心導体部の前記第１の方向の一方側の端部を含み、かつ、前記揺動部に対して前記第１の方向に移動できる先端部と、を有しており、
前記外部導体は、
前記第１のハウジングから前記第１の方向に延びる筒状をなすシリンダーを、
更に含んでおり、
前記シリンダーは、前記第１のハウジングに固定されており、
前記第２のハウジングは、前記シリンダー内において前記第１の方向に延びると共に、前記シリンダー内において揺動でき、
前記外部導体は、
前記第１の方向に延びる筒状をなし、かつ、前記第２のハウジングの前記第１の方向の一方側の端部が挿入される外部プランジャを、
更に含んでおり、
前記検査用同軸コネクタは、
前記第２のハウジングに対して前記外部プランジャを前記第１の方向の一方側に押す第１の弾性体を、
更に備えており、
前記外部プランジャ及び前記シリンダーは、前記外部プランジャが前記シリンダーに接触した場合に、前記シリンダーが前記外部プランジャに対して前記シリンダーの径方向の内側に向かって力を及ぼすように、構成されている、
検査用同軸コネクタ。
【請求項１３】
外部導体と、中心導体と、第１のブッシングと、を備える検査用同軸コネクタであって、
前記外部導体は、
第１の方向に延びる筒状の第１のハウジングと、
前記第１のハウジングから前記第１の方向の一方側に向かって延びる筒状の第２のハウジングと、
を含んでおり、
前記中心導体は、
前記第１のハウジング内において前記第１の方向に延び、かつ、前記第１のブッシングにより前記第１のハウジングに固定される第１の中心導体部と、
前記第２のハウジング内において前記第１の方向に延びる第２の中心導体部と、
を含んでおり、
前記第２のハウジングの前記第１の方向の一方側の端部が前記第１の方向に直交する第２の方向に揺動できるように、前記第２のハウジングが前記第１のハウジングに支持されており、
前記第２の中心導体部は、前記第２の中心導体部の前記第１の方向の一方側の端部が前記第２の方向に揺動できるように、前記第２の中心導体部が前記第１の中心導体部に支持されている揺動部と、前記第２の中心導体部の前記第１の方向の一方側の端部を含み、かつ、前記揺動部に対して前記第１の方向に移動できる先端部と、を有しており、
前記第１の中心導体部は、前記第１の方向の一方側の端部に第３の面を有し、
前記揺動部は、前記第１の方向の他方側の端部に、前記第３の面と接触する第４の面を有し、
前記第２のハウジングは、前記第１の方向の他方側の端部に、第５の面を有し、
前記第１のハウジングは、前記第５の面と接触する第６の面を有し、
前記第５の面及び前記第６の面の前記第１の方向における位置は、前記第３の面及び前記第４の面の前記第１の方向における位置と重なっている、
検査用同軸コネクタ。
【発明の詳細な説明】
【技術分野】
【０００１】
本発明は、検査用同軸コネクタ、特に、同軸コネクタに接続する検査用同軸コネクタに関する。
【背景技術】
【０００２】
従来の検査用同軸コネクタに関する発明としては、例えば、特許文献１に記載の検査用同軸コネクタが知られている。図８は、特許文献１に記載の検査用同軸コネクタ５００の断面構造図である。以下では、図８における上下方向を単に上下方向と呼び、左右方向を単に左右方向と呼ぶ。また、図８の紙面垂直方向を前後方向と呼ぶ。【０００３】
検査用同軸コネクタ５００は、図８に示すように、プローブ本体５１０、プローブ先端５１１、外導体バレル５１６及びハウジング５２５を備えている。外導体バレル５１６及びハウジング５２５は、上下方向に延びる筒状をなしている。外導体バレル５１６の上端は、ハウジング５２５に挿入されている。そして、外導体バレル５１６の下端が前後方向及び左右方向に揺動できるように、外導体バレル５１６の上端がハウジング５２５に支持されている。【０００４】
プローブ本体５１０は、コイルばね５１２、バレル５１３及び先端部５１５を含んでおり、外導体バレル５１６及びハウジング５２５内において上下方向に延びている。バレル５１３は、上下方向に延びる筒状をなしている。コイルばね５１２は、バレル５１３内に設けられている。先端部５１５は、バレル５１３に対して下側から挿入されており、コイルばね５１２により下側に向かって押されている。プローブ先端５１１は、外導体バレル５１６内において上下方向に延びている。プローブ先端５１１の下端が前後方向及び左右方向に揺動できるように、プローブ先端５１１の上端が先端部５１５に支持されている。以上のような構成を有する検査用同軸コネクタ５００によれば、プローブ先端５１１及び外導体バレル５１６が前後方向及び左右方向に揺動できる。これにより、検査用同軸コネクタ５００を相手方レセプタクルに容易に装着することが可能となる。
【先行技術文献】
【特許文献】
【０００５】
【特許文献１】特開２０１４−１２３４８２号公報
【発明の概要】
【発明が解決しようとする課題】
【０００６】
ところで、本願発明者は、特許文献１に記載の検査用同軸コネクタ５００では、検査用同軸コネクタ５００の寿命を延ばすことが困難であることを発見した。より詳細には、検査用同軸コネクタ５００では、プローブ先端５１１及び外導体バレル５１６の揺動の中心は、検査用同軸コネクタ５００の上下方向の中央近傍に位置している。したがって、検査用同軸コネクタ５００において揺動可能な部分（すなわち、プローブ先端５１１及び外導体バレル５１６）が短い。そのため、検査用同軸コネクタ５００の中心と相手方レセプタクルの中心とが前後方向又は左右方向にずれている場合には、プローブ先端５１１及び外導体バレル５１６はそれぞれ、これらの中心を一致させるために、プローブ本体５１０及びハウジング５２５に対して大きく傾く必要がある。その結果、プローブ先端５１１が先端部５１５に対して大きく摺動し、プローブ先端５１１と先端部５１５との間で大きな摩耗が生じやすい。同様に、外導体バレル５１６がハウジング５２５に対して大きく摺動し、外導体バレル５１６とハウジング５２５との間で大きな摩耗が生じやすい。よって、特許文献１に記載の検査用同軸コネクタ５００では、検査用同軸コネクタ５００の寿命を延ばすことが困難である。【０００７】
そこで、本発明の目的は、検査用同軸コネクタの長寿命化を図ることである。
【課題を解決するための手段】
【０００８】
本発明の一形態である検査用同軸コネクタは、外部導体と、中心導体と、第１のブッシングと、を備える検査用同軸コネクタであって、前記外部導体は、第１の方向に延びる筒状の第１のハウジングと、前記第１のハウジングから前記第１の方向の一方側に向かって延びる筒状の第２のハウジングと、を含んでおり、前記中心導体は、前記第１のハウジング内において前記第１の方向に延び、かつ、前記第１のブッシングにより前記第１のハウジングに固定される第１の中心導体部と、前記第２のハウジング内において前記第１の方向に延びる第２の中心導体部と、を含んでおり、前記第２のハウジングの前記第１の方向の一方側の端部が前記第１の方向に直交する第２の方向に揺動できるように、前記第２のハウジングが前記第１のハウジングに支持されており、前記第２の中心導体部は、前記第２の中心導体部の前記第１の方向の一方側の端部が前記第２の方向に揺動できるように、前記第２の中心導体部が前記第１の中心導体部に支持されている揺動部と、前記第２の中心導体部の前記第１の方向の一方側の端部を含み、かつ、前記揺動部に対して前記第１の方向に移動できる先端部と、を有しており、前記揺動部は、前記第１の方向に延びる筒状のバレルであり、前記先端部の前記第１の方向の他方側の端部は、前記バレルに挿入されており、前記第２の中心導体部は、前記バレル内に設けられ、かつ、前記先端部を前記バレルに対して前記第１の方向の一方側に押す第２の弾性体を、更に有している。
本発明の他の形態である検査用同軸コネクタは、外部導体と、中心導体と、第１のブッシングと、を備える検査用同軸コネクタであって、前記外部導体は、第１の方向に延びる筒状の第１のハウジングと、前記第１のハウジングから前記第１の方向の一方側に向かって延びる筒状の第２のハウジングと、を含んでおり、前記中心導体は、前記第１のハウジング内において前記第１の方向に延び、かつ、前記第１のブッシングにより前記第１のハウジングに固定される第１の中心導体部と、前記第２のハウジング内において前記第１の方向に延びる第２の中心導体部と、を含んでおり、前記第２のハウジングの前記第１の方向の一方側の端部が前記第１の方向に直交する第２の方向に揺動できるように、前記第２のハウジングが前記第１のハウジングに支持されており、前記第２の中心導体部は、前記第２の中心導体部の前記第１の方向の一方側の端部が前記第２の方向に揺動できるように、前記第２の中心導体部が前記第１の中心導体部に支持されている揺動部と、前記第２の中心導体部の前記第１の方向の一方側の端部を含み、かつ、前記揺動部に対して前記第１の方向に移動できる先端部と、を有しており、前記外部導体は、前記第１のハウジングから前記第１の方向に延びる筒状をなすシリンダーを、更に含んでおり、前記シリンダーは、前記第１のハウジングに固定されており、前記第２のハウジングは、前記シリンダー内において前記第１の方向に延びると共に、前記シリンダー内において揺動でき、前記外部導体は、前記第１の方向に延びる筒状をなし、かつ、前記第２のハウジングの前記第１の方向の一方側の端部が挿入される外部プランジャを、更に含んでおり、前記検査用同軸コネクタは、前記第２のハウジングに対して前記外部プランジャを前記第１の方向の一方側に押す第１の弾性体を、更に備えており、前記外部プランジャ及び前記シリンダーは、前記外部プランジャが前記シリンダーに接触した場合に、前記シリンダーが前記外部プランジャに対して前記シリンダーの径方向の内側に向かって力を及ぼすように、構成されている。
本発明のさらに他の形態である検査用同軸コネクタは、外部導体と、中心導体と、第１のブッシングと、を備える検査用同軸コネクタであって、前記外部導体は、第１の方向に延びる筒状の第１のハウジングと、前記第１のハウジングから前記第１の方向の一方側に向かって延びる筒状の第２のハウジングと、を含んでおり、前記中心導体は、前記第１のハウジング内において前記第１の方向に延び、かつ、前記第１のブッシングにより前記第１のハウジングに固定される第１の中心導体部と、前記第２のハウジング内において前記第１の方向に延びる第２の中心導体部と、を含んでおり、前記第２のハウジングの前記第１の方向の一方側の端部が前記第１の方向に直交する第２の方向に揺動できるように、前記第２のハウジングが前記第１のハウジングに支持されており、前記第２の中心導体部は、前記第２の中心導体部の前記第１の方向の一方側の端部が前記第２の方向に揺動できるように、前記第２の中心導体部が前記第１の中心導体部に支持されている揺動部と、前記第２の中心導体部の前記第１の方向の一方側の端部を含み、かつ、前記揺動部に対して前記第１の方向に移動できる先端部と、を有しており、前記第１の中心導体部は、前記第１の方向の一方側の端部に第３の面を有し、前記揺動部は、前記第１の方向の他方側の端部に、前記第３の面と接触する第４の面を有し、前記第２のハウジングは、前記第１の方向の他方側の端部に、第５の面を有し、前記第１のハウジングは、前記第５の面と接触する第６の面を有し、前記第５の面及び前記第６の面の前記第１の方向における位置は、前記第３の面及び前記第４の面の前記第１の方向における位置と重なっている。
【発明の効果】
【０００９】
本発明によれば、検査用同軸コネクタの長寿命化を図ることができる。
【図面の簡単な説明】
【００１０】
【図１】図１は、検査用同軸コネクタ１及び相手方レセプタクル３０１の外観斜視図である。
【図２】図２は、検査用同軸コネクタ１の分解斜視図である。
【図３Ａ】図３Ａは、検査用同軸コネクタ１の断面構造図である。
【図３Ｂ】図３Ｂは、検査用同軸コネクタ１の断面構造図である。
【図４】図４は、相手方レセプタクル３０１の断面構造図である。
【図５】図５は、被検査体である相手方レセプタクル３０１への装着時における検査用同軸コネクタ１の断面構造図である。
【図６】図６は、被検査体である相手方レセプタクル３０１への装着時における検査用同軸コネクタ１の断面構造図である。
【図７】図７は、被検査体である相手方レセプタクル３０１への装着時における検査用同軸コネクタ１の断面構造図である。
【図８】図８は、特許文献１に記載の検査用同軸コネクタ５００の断面構造図である。
【発明を実施するための形態】
【００１１】
（検査用同軸コネクタの構造）
以下に、本発明の一実施形態に係る検査用同軸コネクタの構造について、図１ないし図３Ｂを参照して説明する。図１は、検査用同軸コネクタ１及び相手方レセプタクル３０１の外観斜視図である。図２は、検査用同軸コネクタ１の分解斜視図である。図３Ａ及び図３Ｂは、検査用同軸コネクタ１の断面構造図である。以下では、中心導体５が延びている方向を上下方向（第１の方向の一例・上側が第１の方向の一方側の一例・下側が第１の方向の他方側の一例）と定義する。また、検査用同軸コネクタ１の外部ハウジング３６のフランジ３６ｂが張り出している方向を左右方向と定義する。また、上下方向及び左右方向と直交する方向を前後方向と定義する。上下方向、左右方向及び前後方向は互いに直交している。なお、ここでの上下方向、左右方向及び前後方向は一例であり、検査用同軸コネクタ１の実際の使用時における上下方向、左右方向及び前後方向と一致していなくてもよい。
【００１２】
検査用同軸コネクタ１は、図１に示すように、相手方レセプタクル３０１に着脱可能に構成されており、相手方レセプタクル３０１の検査に用いられる。検査用同軸コネクタ１は、図１ないし図３Ａに示すように、外部導体３、中心導体５、ブッシング１３、スプリング１４、摺動リング１６及びブッシング１９，３４を備えている。
【００１３】
中心導体５は、中心導体部２０及びセンターピン２６を含んでいる。センターピン２６（第１の中心導体部の一例）は、上下方向に延びる棒状部材である。センターピン２６の下端は、凹型の球面状をなす面Ｓ１１である。
【００１４】
中心導体部２０（第２の中心導体部の一例）は、上下方向に延びる棒状部材であり、ピン２１、バレル２２及びスプリング２４を含んでいる。バレル２２（揺動部の一例）は、上下方向に延びる円筒状をなしている。バレル２２の下端は開口しており、バレル２２の上端は開口していない。バレル２２の上端は、凸型の球面状をなす面Ｓ１２である。そして、バレル２２の面Ｓ１２とセンターピン２６の面Ｓ１１とは接触している。これにより、バレル２２は、中心導体部２０の下端が前後方向及び左右方向（第２の方向の一例）に揺動できるように、センターピン２６に支持されている。
【００１５】
ピン２１（先端部の一例）は、中心導体部２０の下端を含み、かつ、バレル２２に対して上下方向に移動できる。ピン２１は、下部２１ａ及び上部２１ｂを有している。上部２１ｂは、上下方向に延びる細長い円柱状をなしている。下部２１ａは、上部２１ｂの下端から下側に向かって延びる細長い円柱状をなしている。上部２１ｂは、下部２１ａよりも短い。また、下部２１ａは、上部２１ｂよりも細い。以下では、細い又は太いとは、各部材の上下方向に直交する断面の直径が小さい又は大きいことを意味する。ピン２１及びバレル２２の材料は、例えば、ばね性が相対的に低い導電性部材（例えば、黄銅）である。
【００１６】
また、上部２１ｂは、バレル２２に下側から挿入されている。また、スプリング２４（第２の弾性体の一例）は、バレル２２内に設けられ、かつ、ピン２１をバレル２２に対して下側に押す。より詳細には、スプリング２４は、上下方向に延びる中心軸を有する圧縮コイルばねである。スプリング２４の上端は、バレル２２の内周面の上端に接触している。スプリング２４の下端は、上部２１ｂの上端に接触している。そして、ピン２１が上側に押されると、スプリング２４は、縮むことによって、バレル２２に対してピン２１を下側に押す。
【００１７】
外部導体３は、シリンダー１０、外部プランジャ１２、内部ハウジング１８及び外部ハウジング３６を含んでおり、上下方向に延びる円筒状をなしている。シリンダー１０は、図３Ａに示すように、本体１０ａ及び突起１０ｂを有している。本体１０ａは、上下方向に延びる円筒状をなしている。本体１０ａの上端及び下端は、開口している。突起１０ｂは、本体１０ａの下端に設けられており、本体１０ａの径方向の内側に向かって突出している。径方向とは、上下方向に直交する断面において、断面である円の中心を通過する線の延びる方向である。径方向の内側とは円の中心に向かう方向であり、径方向の外側とは円の中心に向かう方向の反対方向である。突起１０ｂは、斜め上側を向く円環状の面Ｓ２（第１の面の一例）を有している。面Ｓ２の法線ベクトルは、シリンダー１０の径方向の内側を向き、かつ、上側を向いている。
【００１８】
外部ハウジング３６（第１のハウジングの一例）は、本体３６ａ及びフランジ３６ｂを含んでいる。本体３６ａは、上下方向に延びる円筒状をなしている。フランジ３６ｂは、本体３６ａから左右に延びている板状の部材である。フランジ３６ｂは、検査用同軸コネクタ１を台座に固定するために設けられている。シリンダー１０の上端は、外部ハウジング３６に対して下側から挿入されている。これにより、シリンダー１０は、外部ハウジング３６から下側に向かって延びている。更に、シリンダー１０は、外部ハウジング３６に対して動くことができないように固定されている。また、図３Ａに示すように、外部ハウジング３６において、シリンダー１０の上端近傍には、凹型の球面状の一部である面Ｓ１３が設けられている。面Ｓ１３は、下側から見たときに、シリンダー１０の径方向の内側に位置している。シリンダー１０及び外部ハウジング３６の材料は、例えば、ＳＵＳ（ステンレス鋼）である。
【００１９】
内部ハウジング１８（第２のハウジングの一例）は、上下方向に延びる円筒状をなしており、下部１８ａ、中部１８ｂ及び上部１８ｃを含んでいる。下部１８ａ、中部１８ｂ及び上部１８ｃは、上下方向に延びる円筒状をなしている。下部１８ａは、中部１８ｂよりも細い。中部１８ｂは、上部１８ｃよりも細い。また、下部１８ａは、中部１８ｂの下端に接続されている。中部１８ｂは、上部１８ｃの下端に接続されている。
【００２０】
内部ハウジング１８の上端は、凸型の球面の一部である面Ｓ１４である。そして、内部ハウジング１８の面Ｓ１４と外部ハウジング３６の面Ｓ１３とは接触している。これにより、内部ハウジング１８は、外部ハウジング３６から下側に向かって延びている。更に、内部ハウジング１８は、内部ハウジング１８の下端が前後方向及び左右方向に揺動できるように、外部ハウジング３６に支持されている。更に、面Ｓ１３，Ｓ１４の上下方向における位置は、図３Ａに示すように、面Ｓ１１、Ｓ１２の上下方向における位置と重なっている。これにより、内部ハウジング１８の揺動の中心は、中心導体部２０の揺動の中心の近くに位置している。内部ハウジング１８の材料は、例えば、ばね性が相対的に低い導電性部材（例えば、黄銅）である。
【００２１】
中心導体５は、外部導体３内において上下方向に延びている。より詳細には、センターピン２６は、外部ハウジング３６内において上下方向に延びている。中心導体部２０は、内部ハウジング１８内において上下方向に延びている。ただし、中心導体部２０の上端は、内部ハウジング１８の上端から僅かに上側にはみ出している。中心導体部２０の下端は、内部ハウジング１８の下端から下側にはみ出している。
【００２２】
ブッシング１９（第２のブッシングの一例）は、上側から見たときに、円環状をなしており、樹脂等を材料とする絶縁体である。ブッシング１９は、上部１８ｃ内において、上部１８ｃの下端と上部２１ｂの下端との間に設けられている。これにより、中心導体５と内部ハウジング１８とが絶縁されている。また、中心導体５がブッシング１９を上下方向に通過しているので、ブッシング１９は、前後方向及び左右方向における内部ハウジング１８と中心導体部２０との位置関係を固定している。これにより、内部ハウジング１８及び中心導体部２０は、シリンダー１０内において一体となって前後方向及び左右方向に揺動することができる。
【００２３】
ブッシング３４（第１のブッシングの一例）は、上下方向に延びる円筒状をなしており、樹脂等を材料とする絶縁体である。ブッシング３４は、外部ハウジング３６内に設けられている。また、センターピン２６は、ブッシング３４内を上下方向に通過している。これにより、ブッシング３４は、センターピン２６を外部ハウジング３６に固定している。また、中心導体５と外部ハウジング３６とが絶縁されている。
【００２４】
摺動リング１６は、円環状の部材であり、樹脂等を材料とする絶縁体である。内部ハウジング１８の中部１８ｂは、摺動リング１６を上下方向に通過している。摺動リング１６は、中部１８ｂに対して上下方向に移動することができる。
【００２５】
外部プランジャ１２は、下部１２ａ及び上部１２ｂを含んでいる。下部１２ａ及び上部１２ｂは、上下方向に延びる円筒状をなしている。下部１２ａは、上部１２ｂよりも細い。また、下部１２ａは、上部１２ｂの下端に接続されている。更に、上部１２ｂの下端はテーパー状をなしており、上部１２ｂの下端の径は上側から下側へと行くにしたがって小さくなっている。すなわち、外部プランジャ１２は、斜め下側を向く円環状のテーパー面（以下、面Ｓ１）を有する。面Ｓ１（第２の面の一例）の法線ベクトルは、上部１２ｂの径方向の外側を向き、かつ、下側を向いている。また、下部１２ａの下端は、斜め下側を向く円環状の面Ｓ３を有している。面Ｓ３の法線ベクトルは、下部１２ａの径方向の内側を向き、かつ、下側を向いている。
【００２６】
ブッシング１３は、上側から見たときに、円環状をなしており、樹脂等を材料とする絶縁体である。ブッシング１３は、下部１２ａ内に設けられている。下部２１ａは、ブッシング１３を上下方向に通過している。これにより、中心導体部２０と外部プランジャ１２とが絶縁されている。
【００２７】
内部ハウジング１８の下部１８ａは、外部プランジャ１２に対して上側から挿入されている。また、外部プランジャ１２の上端は、摺動リング１６の下端に接触している。これにより、外部プランジャ１２及び摺動リング１６は、下部１８ａに対して一体となって上下方向に移動することができる。外部プランジャ１２の材料は、例えば、ＳＵＳ（ステンレス鋼）である。
【００２８】
スプリング１４（第１の弾性体の一例）は、摺動リング１６の上端と上部１８ｃの下端との間に設けられ、内部ハウジング１８に対して摺動リング１６及び外部プランジャ１２を下側に押す。より詳細には、スプリング１４は、上下方向に延びる中心軸を有する圧縮コイルばねである。内部ハウジング１８の中部１８ｂは、スプリング１４内を上下方向に通過している。スプリング１４の上端は、上部１８ｃの下端に接触している。スプリング１４の下端は、摺動リング１６の上端に接触している。そして、外部プランジャ１２が上側に押されると、スプリング１４は、縮むことにより、上部１８ｃに対して摺動リング１６及び外部プランジャ１２を下側に押す。
【００２９】
また、外部プランジャ１２がスプリング１４により下側に押されることにより、面Ｓ１が面Ｓ２に接触している。外部プランジャ１２が外部から力を受けていない場合には、図３Ａに示すように、外部プランジャ１２の中心軸とシリンダー１０の中心軸とが一致するように、外部プランジャ１２が位置する。また、外部プランジャ１２が、例えば、右上側に向かって押された場合には、図３Ｂに示すように、スプリング１４が縮むと共に、前側から見たときに、中心導体部２０がバレル２２の上端を中心として反時計回り方向に回転する。更に、前側から見たときに、外部プランジャ１２及び内部ハウジング１８が内部ハウジング１８の上端を中心として反時計回りに回転する。これにより、面Ｓ２に沿って面Ｓ１が右上側に向かってスライドする。以上のように、ピン２１及び外部プランジャ１２が前後方向及び左右方向に揺動することができる。
【００３０】
また、外部プランジャ１２を右上側に向かって押す力が解除されると、スプリング１４が外部プランジャ１２を下側に押す。これにより、面Ｓ１の右側の部分が面Ｓ２の右側の部分に押しつけられる。面Ｓ１の法線ベクトルは、上部１２ｂの径方向の外側を向き、かつ、下側を向いている。面Ｓ２の法線ベクトルは、シリンダー１０の径方向の内側を向き、かつ、上側を向いている。図３Ｂでは、面Ｓ１と面Ｓ２とが接触している部分において、面Ｓ１は右下側を向き、面Ｓ２は左上側を向いている。よって、面Ｓ２は、面Ｓ１を左側（すなわち、シリンダー１０の径方向の内側）に向かって押す。このように、外部プランジャ１２及びシリンダー１０は、外部プランジャ１２がシリンダー１０に接触した場合に、シリンダー１０が外部プランジャ１２に対してシリンダー１０の内側に向かって力を及ぼすように構成されている。これにより、外部プランジャ１２の中心軸とシリンダー１０の中心軸とが一致するように、外部プランジャ１２が移動する（セルフセンタリング）。
【００３１】
（検査用同軸コネクタの動作）
次に、検査用同軸コネクタ１の動作について図面を参照して説明する。図４は、相手方レセプタクル３０１の断面構造図である。図５ないし図７は、被検査体である相手方レセプタクル３０１への装着時における検査用同軸コネクタ１の断面構造図である。
【００３２】
相手方レセプタクル３０１について説明する。相手方レセプタクル３０１は、例えば、携帯電話のアンテナと送受信回路との間に設けられるスイッチ付同軸コネクタであり、ケース３０３、外部導体３０５、固定端子３０６及び可動端子３０７を備えている。固定端子３０６はアンテナに接続され、可動端子３０７は送受信回路に接続される。ケース３０３は、外部導体３０５、固定端子３０６及び可動端子３０７を固定している。検査用同軸コネクタ１が装着されていない状態では、可動端子３０７は、下側から固定端子３０６に接触している。これにより、アンテナと送受信回路とが電気的に接続されている。
【００３３】
また、検査用同軸コネクタ１は、測定器に接続されている。具体的には、センターピン２６が測定器に接続された同軸ケーブルの中心導体に接続され、外部ハウジング３６が測定器に接続された同軸ケーブルの外導体に接続される。
【００３４】
検査用同軸コネクタ１が相手方レセプタクル３０１に装着されていない状態では、図３Ａに示すように、ピン２１の下端は、外部プランジャ１２内に収まっている。すなわち、外部プランジャ１２の下端は、外部プランジャ１２及びピン２１が上側に押されていない場合には、ピン２１の下端よりも上側に位置している。この状態で検査用同軸コネクタ１を下降させると、図５に示すように、外部プランジャ１２の面Ｓ３と外部導体３０５の上端とが接触する。図５では、外部導体３０５の中心は、外部プランジャ１２の中心に対して右側にずれている。この場合、面Ｓ３の右側の部分に外部導体３０５の上端が接触する。面Ｓ３の法線ベクトルは、下部１２ａの径方向の内側を向き、かつ、下側を向いている。よって、外部導体３０５が接触している部分において、面Ｓ３の法線ベクトルは、左下側を向いている。その結果、面Ｓ３は、外部導体３０５により右上側に向かって押される。
【００３５】
また、図５では、ピン２１は、可動端子３０７には接触していない。よって、相手方レセプタクル３０１では、固定端子３０６と可動端子３０７とが接触しており、アンテナと送受信回路とが接続されている。
【００３６】
検査用同軸コネクタ１を更に下降させると、外部プランジャ１２が外部導体３０５により上側に押され、スプリング１４が縮む。また、外部プランジャ１２は、右側に向かって押されているので、図６に示すように、面Ｓ１は、面Ｓ２に沿って右上側に向かって移動する。すなわち、外部プランジャ１２及び内部ハウジング１８は、前側から見たときに、内部ハウジング１８の上端を中心として反時計回りに回転する。また、外部プランジャ１２が上側に移動するので、ピン２１の下端が外部プランジャ１２から下側にはみ出すようになる。そして、ピン２１の下端は、ケース３０３に接触し、ケース３０３により右上側に向かって押される。これにより、中心導体部２０は、前側から見たときに、外部プランジャ１２及び内部ハウジング１８と共に、中心導体部２０の上端を中心として反時計回りに回転する。
【００３７】
検査用同軸コネクタ１を更に下降させると、図７に示すように、外部導体３０５の中心は、外部プランジャ１２の中心と一致する。そして、ピン２１は、可動端子３０７を下側に押して、可動端子３０７と固定端子３０６とを離す。これにより、ピン２１と可動端子３０７とが接続され、送受信回路と測定器とが接続されるようになる。また、外部プランジャ１２と外部導体３０５とが接続される。
【００３８】
（効果）
検査用同軸コネクタ１によれば、相手方レセプタクル３０１への接続時に、検査用同軸コネクタ１と相手方レセプタクル３０１とが前後方向及び左右方向にずれていたとしても、これらをスムーズに接続することができる。より詳細には、検査用同軸コネクタ１では、中心導体部２０の下端及び内部ハウジング１８の下端が前後方向及び左右方向に揺動できる。これにより、検査用同軸コネクタ１と相手方レセプタクル３０１とが前後方向及び左右方向にずれていたとしても、外部プランジャ１２の下端及びピン２１の下端が揺動して相手方レセプタクル３０１の外部導体３０５及び可動端子３０７に接触するようになる。
【００３９】
また、検査用同軸コネクタ１によれば、検査用同軸コネクタ１の長寿命化を図ることができる。より詳細には、検査用同軸コネクタ１では、中心導体部２０は、バレル２２及びピン２１を有している。バレル２２は、中心導体部２０の下端が前後方向及び左右方向に揺動できるように、中心導体部２０がセンターピン２６に支持されている。ピン２１は、中心導体部２０の下端を含み、かつ、バレル２２に対して上下方向に移動できる。これにより、中心導体部２０の揺動の中心は、ピン２１が上下方向に移動するための機構よりも上側に位置している。よって、中心導体部２０の長さが長くなる。そのため、中心導体部２０が上下方向に対して傾斜する角度が小さくても、中心導体部２０の下端を前後方向及び左右方向に大きく変位させることが可能となる。したがって、センターピン２６の面Ｓ１１とバレル２２の面Ｓ１２との間の摩擦が軽減される。以上より、検査用同軸コネクタ１の寿命を延ばすことができる。
【００４０】
また、検査用同軸コネクタ１によれば、検査用同軸コネクタ１の長寿命化を図ることができる。より詳細には、更に、面Ｓ１３，Ｓ１４の上下方向における位置は、面Ｓ１１，Ｓ１２の上下方向における位置と重なっている。これにより、中心導体部２０の長さと同様に、内部ハウジング１８の長さが長くなる。そのため、内部ハウジング１８が上下方向に対して傾斜する角度が小さくても、外部プランジャ１２の下端を前後方向及び左右方向に大きく変位させることが可能となる。よって、外部ハウジング３６の面Ｓ１３と内部ハウジング１８の面Ｓ１４との間の摩擦が軽減される。その結果、検査用同軸コネクタ１の寿命を延ばすことができる。
【００４１】
また、検査用同軸コネクタ１によれば、内部ハウジング１８及び中心導体部２０をスムーズに揺動させることができる。より詳細には、面Ｓ１３，Ｓ１４の上下方向における位置は、面Ｓ１１，Ｓ１２の上下方向における位置と重なっている。これにより、内部ハウジング１８の揺動の中心は、中心導体部２０の揺動の中心の近くに位置している。その結果、内部ハウジング１８及び中心導体部２０をスムーズに揺動させることができる。
【００４２】
また、検査用同軸コネクタ１によれば、特性インピーダンスの変動を抑制できる。より詳細には、検査用同軸コネクタ１の特性インピーダンスは、内部ハウジング１８とピン２１及びバレル２２との間の容量に依存している。すなわち、検査用同軸コネクタ１の特性インピーダンスは、内部ハウジング１８とピン２１及びバレル２２との距離に依存している。よって、内部ハウジング１８とピン２１及びバレル２２との距離は大きく変動しないことが好ましい。
【００４３】
ただし、ピン２１は、バレル２２よりも細い。そこで、下部１８ａ及び中部１８ｂはピン２１の周囲を囲んでおり、上部１８ｃはバレル２２の周囲を囲んでいる。そして、下部１８ａ及び中部１８ｂは、上部１８ｃよりも細い。これにより、インピーダンスが整合するように設計されている。
【００４４】
また、検査用同軸コネクタ１によれば、外部プランジャ１２の下端の中心とシリンダー１０の中心とを精度よく一致させることができる。より詳細には、外部プランジャ１２とシリンダー１０との位置決めは、面Ｓ１，Ｓ２により行われている。面Ｓ１，Ｓ２がシリンダー１０の上部に設けられている場合には、面Ｓ１，Ｓ２から外部プランジャ１２の下端までの距離が長くなる。そのため、面Ｓ１，Ｓ２に僅かにずれが生じただけでも、外部プランジャ１２の下端の中心は、シリンダー１０の中心から大きくずれてしまう。そこで、検査用同軸コネクタ１では、相手方レセプタクル３０１に近い位置において外部プランジャ１２とシリンダー１０との位置決めが行われている。具体的には、面Ｓ２は、シリンダー１０の下端に位置している。これにより、面Ｓ１，Ｓ２から外部プランジャ１２の下端までの距離が短くなるので、面Ｓ１，Ｓ２に僅かにずれが生じても、外部プランジャ１２の下端の中心がシリンダー１０の中心から大きくずれることが抑制される。これにより、外部プランジャ１２が相手方レセプタクル３０１の外部導体３０５に対して接続されやすくなる。ただし、このことは、面Ｓ２がシリンダー１０の下端以外の位置に設けられることを妨げるものではない。
【００４５】
また、検査用同軸コネクタ１によれば、ピン２１が破損することが抑制される。より詳細には、外部プランジャ１２の下端は、外部プランジャ１２及びピン２１が上側に押されていない場合には、ピン２１の下端よりも上側に位置している。これにより、検査用同軸コネクタ１を相手方レセプタクル３０１に接続する場合に、ピン２１が相手方レセプタクル３０１に接触する前に、外部プランジャ１２が相手方レセプタクル３０１に接触する。これにより、ピン２１に大きな力が加わることが抑制され、ピン２１が破損することが抑制される。
【００４６】
（その他の実施形態）
なお、本発明に係る検査用同軸コネクタ及び中心導体は、検査用同軸コネクタ１に限らずその要旨の範囲内において変更可能である。
【００４７】
また、面Ｓ１と面Ｓ２とは面接触する必要はない。すなわち、面Ｓ１又は面Ｓ２のいずれか一方は、面である必要はない。より詳細には、外部プランジャ１２は、下側から見たときに、環状をなし、かつ、面Ｓ２に接触する接触部（第１の接触部の一例）を有していればよい。接触部は、面Ｓ２に線接触により接触していてもよい。また、シリンダー１０は、上側から見たときに、環状をなし、かつ、面Ｓ１に接触する接触部（第２の接触部の一例）を有していればよい。接触部は、面Ｓ１に線接触により接触していてもよい。
【産業上の利用可能性】
【００４８】
以上のように、本発明は、検査用同軸コネクタに有用であり、特に、検査用同軸コネクタの長寿命化を図ることができる点で優れている。
【符号の説明】
【００４９】
１：検査用同軸コネクタ
３：外部導体
５：中心導体
１０：シリンダー
１０ａ：本体
１０ｂ：突起
１２：外部プランジャ
１２ａ，１８ａ，２１ａ：下部
１２ｂ，１８ｃ，２１ｂ：上部
１３，１９，３４：ブッシング
１４，２４：スプリング
１６：摺動リング
１８：内部ハウジング
１８ｂ：中部
２０：中心導体部
２１：ピン
２２：バレル
２６：センターピン
３０：内部ハウジング
３６：外部ハウジング
３６ａ：本体
３６ｂ：フランジ
Ｓ１〜Ｓ３，Ｓ１１〜Ｓ１４：面
【図１】
0006677299.tif 000002
【図２】
0006677299.tif 000003
【図３Ａ】
0006677299.tif 000004
【図３Ｂ】
0006677299.tif 000005
【図４】
0006677299.tif 000006
【図５】
0006677299.tif 000007
【図６】
0006677299.tif 000008
【図７】
0006677299.tif 000009
【図８】
0006677299.tif 000010